(57)【要約】【課題】施工性に優れたカバーパネルの取付構造を提供する。【解決手段】天井や壁面等の下地面に複数のカバーパネルを組み合わせ、互いに隣接するカバーパネル間に目地を形成しつつ前記下地面を被覆化粧するカバーパネルの取付構造であって、下地面に取付部材を固定し、取付部材の係合爪を回動してカバーパネルの係合孔に係合させることによりカバーパネルを下地面に被覆するので、パネルの取付・取外しは１枚単位で行うことができる。【選択図】  図２
2011241534.tif 000002
【特許請求の範囲】
【請求項１】
天井や壁面等の下地面に複数のカバーパネルを組み合わせ、互いに隣接するカバーパネル間に目地を形成しつつ前記下地面を被覆化粧するカバーパネルの取付構造であって、
隣接するカバーパネルの目地部分に相当する下地面の位置に取付部材が固定され、該取付部材にカバーパネルを下地面に取り付けるための係合爪が回動自在に設けられ、
前記各カバーパネルは矩形状に形成されると共に、前記取付部材に対応する外周部の相対する少なくとも２辺が背面側に折曲形成されて薄板状の側壁が形成され、該側壁に前記係合爪を係脱自在に係合するための係合孔が形成され、前記カバーパネルの係合孔に前記取付部材の係合爪を相対させて係合させることにより前記カバーパネルが下地面を被覆するようにしたことを特徴とするカバーパネルの取付構造。
【請求項２】
前記取付部材に前記係合爪の回り止め用ストッパが設けられたことを特徴とする請求項１に記載のカバーパネルの取付構造。
【請求項３】
互いに隣接するカバーパネル間に縦目地セパレータおよび横目地セパレータが介在されて縦目地および横目地が形成されたことを特徴とする請求項１または２に記載のカバーパネルの取付構造。
【請求項４】
前記カバーパネルの化粧面から下地面までの高さが、内部にケーブル線を這わせることが可能な高さに設定されたことを特徴とする請求項１〜３のいずれかに記載のカバーパネルの取付構造。
【請求項５】
天井や壁面等の下地面に複数のカバーパネルを組み合わせ、互いに隣接するカバーパネル間に目地を形成しつつ前記下地面を被覆化粧するカバーパネルの取付方法であって、
隣接するカバーパネルの目地部分に相当する下地面の位置に取付部材を固定し、該取付部材に回動自在に設けられた一対の係合爪のうち一方の係合爪を回動して片側のカバーパネルの側壁に形成された係合孔に係合することにより、片側のカバーパネルを下地面に取り付け、他方の係合爪を回動して隣接する他側のカバーパネルの係合孔に係合することにより他側のカバーパネルを下地面に取り付け、これを順次繰り返すことにより下地面にカバーパネルを被覆化粧することを特徴とするカバーパネルの取付方法。
【発明の詳細な説明】
【技術分野】
【０００１】
本発明は、天井や壁面等の下地面に複数のカバーパネルを組み合わせ、互いに隣接するカバーパネル間に目地を形成しつつ下地面を被覆化粧するカバーパネルの取付構造に関するものである。
【背景技術】
【０００２】
従来、この種のカバーパネルの取付構造として、特許文献１、２に示すように、矩形状の化粧面を持つように四辺を後方に屈折して薄い側壁を形成してなり、側壁に化粧面と平行になる取付鍔を外向きに構成し、該取付鍔の外縁に少なくとも一部を化粧面方向に屈折した連結縁を構成した引掛受側連繋構造と、側壁に化粧面と平行になり且つ前記取付鍔の鍔幅より小さい突出幅を有するスペーサ突起を一個または複数個内向きに突設すると共に、前記連結縁に該スペーサ突起の先端に更に突出した係止突起のレベルと対応位置してスリット状の受け孔を穿設し、前記取付鍔の所望位置にパネル取付用透孔を穿設した受側連繋構造の組合せになる複数種のカバーパネルから構成されている。
【０００３】
そして、四辺全てが受側連繋構造になるカバーパネルと、一辺が引掛側連繋構造、残りの三辺が受側連繋構造になるカバーパネルと、隣接する二辺が引掛側連繋構造、残りの隣接する二辺が受側連繋構造になるカバーパネルとから構成してなり、これらの一または複数枚を使用して天井面等、建造物の表面を連続被覆する構造が開示されている。
【先行技術文献】
【特許文献】
【０００４】
【特許文献１】実開平6−22442号公報
【特許文献２】実開平6−58031号公報
【発明の概要】
【発明が解決しようとする課題】
【０００５】
しかしながら、これらのカバーパネル材は、複数種のカバーパネル材を準備する必要があるばかりか、パネルの側壁に形成した連結縁にスリット状の受け孔を形成し、この受け孔に係止する係止突起を隣り合うカバーパネルの側壁に形成する構造であるため、両者の係止作業が複数種のパネルを配列しながらの連結作業となり、その作業が煩雑となるという問題があった。
【０００６】
本発明は、上記に鑑み、天井面等の下地面を被覆化粧することができる施工性に優れたカバーパネルの取付構造の提供を目的としている。
【課題を解決するための手段】
【０００７】
上記目的を達成するため、本発明は、天井や壁面等の下地面に複数のカバーパネルを組み合わせ、互いに隣接するカバーパネル間に目地を形成しつつ前記下地面を被覆化粧するカバーパネルの取付構造であって、隣接するカバーパネルの目地部分に相当する下地面の位置に取付部材が固定され、該取付部材にカバーパネルを下地面に取り付けるための係合爪が回動自在に設けられ、前記各カバーパネルは矩形状に形成されると共に、前記取付部材に対応する外周部の相対する少なくとも２辺が背面側に折曲形成されて薄板状の側壁が形成され、該側壁に前記係合爪を係脱自在に係合するための係合孔が形成され、前記カバーパネルの係合孔に前記取付部材の係合爪を相対させて係合させることにより前記カバーパネルが下地面を被覆するようにしたことを構造である。
【０００８】
上記構成によると、カバーパネルの取付・取外しは、取付部材の係合爪を回動してカバーパネルの側壁の係合孔に対して係合・離脱させるだけで行うことができる。そのため、カバーパネルの取付・取外しは１枚単位で行うことができ、施工性が良好である。
また、取付部材に前記係合爪の回り止め用ストッパが設けられた構造とすることができる。これにより、係合爪は係合孔から外れるのを防止することができ、カバーパネルの落下を防止することができる。
【０００９】
また、互いに隣接するカバーパネル間に縦目地セパレータおよび横目地セパレータが介在された構造とすることにより、縦目地および横目地を容易に形成することができる。
また、カバーパネルの下地面から化粧面までの高さが、内部にケーブル線を這わせることが可能な高さに設定された構造とすることができる。これにより、カバーパネルの内部にケーブル線を這わせることができる。
【００１０】
さらに、本発明では、天井や壁面等の下地面に複数のカバーパネルを組み合わせ、互いに隣接するカバーパネル間に目地を形成しつつ前記下地面を被覆化粧するカバーパネルの取付方法であって、隣接するカバーパネルの目地部分に相当する下地面の位置に取付部材を固定し、該取付部材に回動自在に設けられた一対の係合爪のうち一方の係合爪を回動して片側のカバーパネルの側壁に形成された係合孔に係合することにより、片側のカバーパネルを下地面に取り付け、他方の係合爪を回動して隣接する他側のカバーパネルの係合孔に係合することにより他側のカバーパネルを下地面に取り付け、これを順次繰り返すことにより下地面にカバーパネルを被覆化粧するカバーパネルの取付方法を提供することができる。
【００１１】
これにより、取付部材の係合爪をカバーパネルの係合孔に係脱自在に係合するだけの簡単な操作により、パネル１枚ごとに取り付け・取外しを行うことができ、施工性に優れたカバーパネルの取付方法を提供することができる。
【発明の効果】
【００１２】
以上のとおり、本発明によると、カバーパネルの取付・取外しは、取付部材の係合爪を回動してカバーパネルの側壁の係合孔に対して係合・離脱させるだけで、１枚単位で行うことができ、施工性に優れたカバーパネルの取付構造を提供することができる。
【図面の簡単な説明】
【００１３】
【図１】本実施形態におけるカバーパネルの取付構造を示す平面図である。
【図２】カバーパネルの取付構造の一部を示す斜視図である。
【図３】取付部材の斜視図である。
【図４】図１のＡ部拡大図であって、（ａ）は取付部材の平面図、（ｂ）は断面図、（ｃ）はカバーパネルの係合孔部分を示す側面図である。
【図５】図１のＢ部拡大図であって、（ａ）は横目地セパレータの平面図、（ｂ）は同じく断面図である。
【図６】図１のＣ部拡大断面図である。
【発明を実施するための形態】
【００１４】
以下、本発明の実施形態を図面に基づいて説明する。本実施形態のカバーパネルの取付構造は、図１及び図２に示すように、既設の天井板１や中空壁面材等が下地面となり、これらの天井板１や壁面材等の下地面材を取り外すことなく、その下地面１Ａに複数のカバーパネル２Ａ，２Ｂを組み合わせ、互いに隣接するカバーパネル２Ａ、２Ｂ間に縦目地セパレータ３０Ａおよび横目地セパレータ３０Ｂにより縦目地３Ａおよび横目地３Ｂを形成しつつ、前記下地面１Ａを被覆化粧するものである。このカバーパネルの取付構造は、大きく分けて、取付部材４Ａとカバーパネル２Ａ、２Ｂとを備えている。
【００１５】
取付部材４Ａは、図１に示すように、隣接するカバーパネル２Ａ，２Ｂの縦目地部分３に相当する下地面の位置に固定される。取付部材４Ａは、カバーパネル２Ａ，２Ｂの縦方向（前後方向）の長さに合わせて所定間隔で配置される。例えば、縦方向長さが１３００ｍｍ程度のカバーパネルの場合、８００ｍｍ程度のピッチで配列される。
【００１６】
各取付部材４Ａは、図３及び図４に示すように、中央部の断面コ字形の突起部５と、その左右両側で水平に外向きに拡がる取付フランジ６とから側面視で断面ハット形に形成されている。
【００１７】
取付フランジ６は、その取付孔６ａに周知のボードファスナ７を挿入して天井板１等の下地面材に固定される。
【００１８】
突起部５の天面は、カバーパネル２Ａ，２Ｂと接触してカバーパネルと下地面との間にケーブル線等を配線可能とする空間を確保する機能を有している。例えば、突起部５の高さをケーブル線などが配線可能な１０ｍｍ〜２５ｍｍ程度の高さに設定することができる。また、突起部５の天面には、カバーパネル２Ａ，２Ｂの係合孔１０，１１と係脱自在に係合してカバーパネル２Ａ，２Ｂを下地面に取り付けるための係合爪８，９が回動自在に設けられている。
【００１９】
係合爪８，９は、薄板状のものであって、隣接する両カバーパネルの係合孔１０，１１に夫々係合できるように縦方向に一対設けられている。係合爪８，９は、先端側が縦目地部分３Ａよりも左右方向で外方向に突出する長さに設定され、基端側が軸１２，１３を介して突起部５に回動自在と支持される。
【００２０】
軸１２，１３は、例えば、すりわり付き平小ネジを使用して、頭部１２ａ，１３ａが係合爪８，９よりも下方に突出されている（図４（ｂ）において図中上側が下方となる。）。そして、軸１２，１３の頭部１２ａ，１３ａは左右のカバーパネル２Ａ，２Ｂの側壁１８間に挟まれて縦目地セパレータ３０Ａとして機能し、左右のカバーパネル２Ａ，２Ｂ間に縦目地３Ａが形成される。
【００２１】
また、ネジから構成される前記軸１２，１３は、係合爪８，９を回動する場合、そのネジ部分とこれを螺合する突起部５のネジ孔との間のフリクションにより、係合爪８，９の回り止めとして機能する。
【００２２】
なお、縦目地３Ａを形成するため、本例では、軸１２，１３の頭部を利用したが、これとは別に、縦目地形成用のセパレータ３０Ａを設けることもできる。
【００２３】
また、係合爪８，９を左右外方向に回動した係合姿勢において、両軸１２，１３間に係合爪８，９の回り止め用ストッパとして回り止め用プレート１５が介在されている。この回り止めプレート１５は、係合爪８，９の係合姿勢における両係合爪間の長さに対応して長板状に形成され、また、目地部分３Ａの幅に対応した幅に設定され、その中央部がネジ１６により突起部５に固定される。
【００２４】
一方、各カバーパネル２Ａ，２Ｂは、例えば、アルミニウム製の薄板から矩形状に形成される。カバーパネル２Ａ，２Ｂの大きさは、例えば、縦方向（前後方向）の長さが１３００ｍｍ程度、横方向（左右方向）の幅が３００ｍｍ程度に設定される。
【００２５】
各カバーパネル２Ａ，２Ｂがアルミニウム製の薄板から形成されているため、軽量化が図られ、既存の天井材にかかる荷重も小さく、落下のおそれが少ない。万一、落下したとしても大きな事故につながらない。
【００２６】
また、カバーパネル２Ａ，２Ｂが天井の被覆化粧用に使用される場合には、その化粧面１７が、例えばシルバー色に表面処理され、照明の効率化が図れるようになっている。
【００２７】
各カバーパネル２Ａ，２Ｂは、表面側が化粧面１７とされると共に、前記取付部材４Ａに対応する左右の外周縁が背面側に折曲形成されて薄板状の側壁１８が形成される。さらに、側壁１８の外端が内側に折り曲げられて補強リブ２４が形成され、カバーパネル全体として、断面コ字形の端部が形成される。
【００２８】
カバーパネル２Ａ，２Ｂの側壁１８の高さは、例えば１０ｍｍ〜２０ｍｍ程度に設定される。また、補強リブ２４は、取付部材４Ａの突起部５の天面に当接可能とされている。側壁１８（例えば、高さ１０ｍｍ〜２０ｍｍ）と突起部５（例えば、高さ１０ｍｍ〜２５ｍｍ）とにより、カバーパネル２Ａ，２Ｂの化粧面と下地面と間に所定の空間を確保することにより、その内部にケーブル線２３等の配線が可能となっている。
【００２９】
このケーブル線２３をカバーパネル２Ａ，２Ｂと下地面との間の空間に這わせるために、取付部材４Ａの突起部５の天面と下地面との間に十分な空間（例えば、高さ１０ｍｍ〜２５ｍｍ程度）を確保しているが、ケーブル線の導入をより容易にするために、図２に示すように、側壁１８の一部にケーブル線を導入可能な切欠２７を形成してもよい。勿論、切欠２７がなくてもケーブル線はカバーパネル２Ａ，２Ｂと下地面との間に導入することができる。
【００３０】
一方、カバーパネル２Ａ，２Ｂの前後端縁は、図２に示すように、左右の側壁１８のような側壁がなく、開口された状態となっており、ケーブル線２３を這わせるのに十分な空間を確保している。勿論、カバーパネル２Ａ，２Ｂの前後端縁にも左右の側壁１８と同様な側壁が存在していても、取付部材４Ａの突起部５の天面と下地面との間にケーブル線を導入可能な十分な空間が確保されているので支障はない。
【００３１】
このようなカバーパネル２Ａ，２Ｂは、一枚の薄板の左右両端を断面コ字形に折り曲げることにより成形されるが、切欠２７や後述の係合孔１０，１１は、側壁１８の形成前段階の一枚の薄板をプレス成形する際に形成するのが望ましい。
【００３２】
なお、図１において、カバーパネル２Ａ，２Ｂのうち、照明器具を設置する部分のカバーパネル２Ｂには、照明器具設置用の開口２８が形成される。
【００３３】
また、開口２８の周囲には、補強支持材４Ｂが設けられている。この補強支持材４Ｂは、図６に示すように、中央の断面コ字形の突起部３３と、その両端に形成された取付フランジ３４とから断面ハット形に形成されている。突起部３３の高さは、下地面よりカバーパネルの化粧面までの高さに設定され、化粧面を補強できるようになっている。
【００３４】
また、カバーパネル２Ａ，２Ｂの側壁１８には取付部材４Ａの前記係合爪８，９と相対する位置に係合爪８，９を係脱自在に係合するための係合孔１０，１１が形成される。この係合孔１０，１１は、各取付部材４Ａの固定位置に対応して形成されている。例えば、取付部材４Ａが縦方向（前後方向）で２箇所設置されている場合、係合孔１０，１１は各側壁１８の縦方向（前後方向）の２箇所に形成されている。
【００３５】
各取付部材４Ａには、一対の係合爪８，９が設けられ、そのうちの一方の係合爪８が片側（例えば右側）のカバーパネル２Ａの係合孔１０に、また他方の係合爪９が隣接する他側（例えば左側）のカバーパネル２Ｂの係合孔１１に夫々係合することで、取付部材４Ａを介して天井材等の下地面に取り付けられる。したがって、側壁１８には、各取付部材４Ａの一方の係合爪８または９に対応して一つの係合孔１０または１１が形成されていればよいが、本例では、カバーパネルの共有化を図るため、取付部材４Ａの一対の係合爪８，９に対応して、側壁１８に一対の係合孔１０，１１が形成されている。各カバーパネル２Ａ，２Ｂでは、側壁の縦方向の２箇所に取付部材４Ａが配置されているので、一対の係合孔１０，１１は側壁１８の縦方向で合計２組形成されていることになる。
【００３６】
各係合孔１０，１１は縦方向に長い長方形に形成され、板状の係合爪８，９を回動して挿入できるようになっている。係合孔１０，１１は、カバーパネル２Ａ，２Ｂの側壁１８を形成する前段階において、１枚の薄板から打ち抜き成形して形成することができる。
【００３７】
このように、カバーパネル２Ａ，２Ｂの係合孔１０，１１に、取付部材４Ａの係合爪８，９を相対させて係合させることにより、カバーパネル２Ａ，２Ｂが天井材１等の下地面を被覆することができる。
【００３８】
また、天井等の下地面の端部や隅部には、端部用および隅用のパネル２Ｃ，２Ｄが設けられる。この端部用および隅用のパネル２Ｃ，２Ｄは、図５に示すように、アルミニウム製の薄板を断面コ字形に折り曲げ形成し、さらに、前記カバーパネル２Ａ，２Ｂと対向する部分は、さらに内側に折り曲げ形成され、下地面の端部や隅部に配置される。これらのパネル２Ｃ、２Ｄは、横目地セパレータ３０Ｂを下地面に固定するボードファスナ３２を利用して横目地セパレータ３０Ｂと共に下地面に固定される。
【００３９】
また、前後方向に配列されたカバーパネル間には、横方向の目地３Ｂが形成される。この横方向の目地を形成する横目地セパレータ３０Ｂは、図１および図５に示すように、左右前後のカバーパネル２Ａ，２Ｂの交差する下地面に固定される。Ｌ字形のセパレータから構成される。横目地セパレータ３０Ｂの垂直部の厚みは横目地３Ｂの幅に設定される。横目地セパレータ３０Ｂの水平基部は、ボードファスナ３２により前記端部パネル２Ｃや隅部パネル２Ｄと共に下地面に固定される。
【００４０】
上記カバーパネルの組立方向について説明する。まず、端部パネル２Ｃや隅部パネル２Ｄを横目地セパレータ３０Ｂと共に天井材等の下地面に固定しておく。次に、取付部材４Ａおよび補強支持部材４Ｂを下地面の所定の位置にボードファスナ７により固定する。そして、カバーパネル２Ａを端部パネル２Ｃに対応させながら、取付部材４Ａの突起部５に押し当て、取付部材４Ａの係合爪８を回動してカバーパネル２Ａの側壁１８にある係合孔１０に係合する。
【００４１】
次に、左右に隣接するカバーパネル２Ｂの係合孔１１と取付部材４Ａの係合爪９とを対応させて係合爪９を回動して係合孔１１に係止する。その後、係止状態の両係合爪８，９間に回り止め用プレートをネジ固定し、係合爪８，９が不用意に回るのを防止することができ、係合爪８，９が緩んでカバーパネル２Ａ，２Ｂから外れるのを防止することができる。これらの操作を順次繰り返し、下地面全体にカバーパネル２Ａ，２Ｂを被覆化粧するようにする。
【００４２】
このように、カバーパネルの取り付けは、１枚単位で順次行うことができる。また、カバーパネルの取外しは、回り止めプレートを取り外し、取り外す側の係合爪８又は９を回動操作すれば、１枚単位で簡単に取り外すことができる。
【００４３】
しかも、左右のカバーパネルを取り付ける係合爪を同じ取付部材に一対設けることにより、取付部材の点数を少なくして施工性を向上させることができる。
【００４４】
また、このようなカバーパネルによる被覆化粧面においては、縦目地セパレータ３０Ａおよび横目地セパレータ３０Ｂを備えているので、カバーパネル２Ａ，２Ｂは所定の目地幅（例えば５ｍｍ〜７ｍｍ程度）で配列することができる。しかも、縦目地セパレータ２Ａとして、係合爪８，９の軸部１２，１３から突出する頭部を利用しているので、縦目地セパレータをあえて用意する必要がなくなる。
【００４５】
また、カバーパネル２Ａ，２Ｂによる下地面への被覆は、取付部材４Ａを介して行われ、しかも係合爪８，９の回動操作により簡単に下地面に取り付けることができるので、施工性は大幅に良好になる。
【００４６】
したがって、既設の天井材（例えば、石膏ボード等）を取り外すことなく、その上からカバーパネルを被覆化粧することができるので、既設天井材を廃材とする必要がなく、天井面の断熱性能を損なうことなく、短期で施工を行うことができる。
【００４７】
また、カバーパネルと既設天井材などの下地面との間に所定の空間（例えば２０ｍｍ程度の空間）を形成しているので、照明器具の取替えや新設において、電線やコンピュータ等のＬＡＮケーブル線を敷設することができる。
【００４８】
なお、本発明の上記実施形態に限定されるものではなく、本発明の範囲内で多くの修正・変更を加えることができるのは勿論である。例えば、上記実施形態においえ、カバーパネルは左右に側壁を設け、前後方向を開放した形状について例示したが、３辺あるいは４辺とも側壁を有する構造であってもよい。
【００４９】
また、上記実施形態では、取付部材とカバーパネルの側壁によりカバーパネルの化粧面と下地面との間にケーブル線を導入する空間を形成したが、パネルの側壁を高く形成して対応することもできる。また、他の方法としてカバーパネルが当接する取付部材の高さを高くしてケーブル線を這わせる空間を形成するようにしてもよい。
【００５０】
さらに、回り止めストッパは上記例のプレート構造に限らず、係合爪の回動を規制するネジ等を取付部材のネジ孔に螺合する構造であってもよい。さらにまた、取付部材の下地面への固定は、ボードファスナの他、タップネジであってもよい。
【符号の説明】
【００５１】
１      天井板
１Ａ    下地面
２Ａ，２Ｂ    カバーパネル
２Ｃ    端部用パネル
２Ｄ    隅部用パネル
３Ａ    縦目地
３Ｂ    横目地
４Ａ    取付部材
４Ｂ    補強支持材
５      突起部
６      取付フランジ
６ａ    取付孔
７    ボードファスナ
８，９    係合爪
１０、１１  係合孔
１２，１３  軸
１２ａ，１３ａ    頭部
１５    回り止め用プレート
１６    ネジ
１７    化粧面
１８    側壁
２８    開口
３０Ａ  縦目地セパレータ
３０Ｂ  横目地セパレータ
３３    突起部
３４    取付フランジ
【図１】
2011241534.tif 000003
【図２】
2011241534.tif 000004
【図３】
2011241534.tif 000005
【図４】
2011241534.tif 000006
【図５】
2011241534.tif 000007
【図６】
2011241534.tif 000008